(57)【要約】【課題】シャワ受けの軸芯まわりに回動可能な使い勝手のよいシャワヘッドを提供すること。【解決手段】上方開口３２および下方開口３３を有するカバー体３４と、このカバー体３４内に装着され、水栓本体２４からの供給流路ｉに連通する入口部３５および下向きの吐水口部３６を有し、前記入口部３５および吐水口部３６間に通水流路ｊが形成されている吐水口本体３７とを備え、前記上方開口３２から挿入されて前記入口部３５に接続される筒状のキャップ７０と、このキャップ７０に嵌込まれる筒状のアダプタ７１と、上流側が水栓本体２４に取り付けられたホルダ２６に接続され、下流側が前記キャップ７０内に嵌込まれた前記アダプタ７１内に嵌込まれる筒状のシャワ受け７２とを有し、更に、前記キャップ７０が前記カバー体３４およびアダプタ７１と共に、前記シャワ受け７２に対して前記シャワ受け７２の軸芯Ｐ２  まわりに回動するよう、前記シャワ受け７２の前記下流側の外周面Ｅとこれに当接する前記アダプタ７１の内周面Ｆにクリック機構８５，８６が設けられている。【選択図】        図２
2004150130.tif 000002
【特許請求の範囲】
【請求項１】
上方開口および下方開口を有するカバー体と、このカバー体内に装着され、水栓本体からの供給流路に連通する入口部および下向きの吐水口部を有し、前記入口部および吐水口部間に通水流路が形成されている吐水口本体とを備え、前記上方開口から挿入されて前記入口部に接続される筒状のキャップと、このキャップに嵌込まれる筒状のアダプタと、上流側が水栓本体に取り付けられたホルダに接続され、下流側が前記キャップ内に嵌込まれた前記アダプタ内に嵌込まれる筒状のシャワ受けとを有し、更に、前記キャップが前記カバー体およびアダプタと共に、前記シャワ受けに対して前記シャワ受けの軸芯まわりに回動するよう、前記シャワ受けの前記下流側の外周面とこれに当接する前記アダプタの内周面にクリック機構が設けられていることを特徴とするシャワヘッド。
【請求項２】
前記アダプタは、外周面の最下流端部に外れ防止用の外爪を有する一方、前記キャップは、前記アダプタを前記キャップ内に嵌込んだときに前記外れ防止用の外爪が係合して前記キャップから前記アダプタが外れるのを防止しうる係止孔を有し、また、前記アダプタは、前記内周面の最上流端部に内爪を有する一方、前記シャワ受けは、前記下流側が前記アダプタ内に嵌込まれたときに前記内爪が係合し、それによって、前記キャップが前記アダプタと共に前記シャワ受けから外れるのを防止しうる外れ防止用の溝を前記下流側における外周面の最上流端部に有する請求項１に記載のシャワヘッド。
【請求項３】
前記外れ防止用の溝は環状溝である請求項２に記載のシャワヘッド。
【請求項４】
流し用または洗髪用に用いられる請求項１ないし請求項３のいずれかに記載のシャワヘッド。
【請求項５】
シャワ口部と把持部を有するとともに、この把持部の上流端に接続される筒状のキャップと、このキャップに嵌込まれる筒状のアダプタと、上流側がシャワホースの下流端に接続され、下流側が前記キャップ内に嵌込まれた前記アダプタ内に嵌込まれる筒状のシャワ受けとを有し、更に、前記キャップが前記アダプタ、把持部およびシャワ口部と共に、前記シャワ受けに対して前記シャワ受けの軸芯まわりに回動するよう、前記シャワ受けの前記下流側の外周面とこれに当接する前記アダプタの内周面にクリック機構が設けられていることを特徴とするシャワヘッド。
【請求項６】
前記クリック機構は、前記外周面に形成されたセレーションと、このセレーションの溝に係合するよう前記内周面に形成された係合突起よりなり、前記キャップの回動動作が段階的に調整される請求項１または請求項５に記載のシャワヘッド。
【請求項７】
前記クリック機構は、前記外周面に形成された凹部と、この凹部に係合するよう前記内周面に形成された係合突起よりなり、前記キャップの回動動作が段階的に調整される請求項１または請求項５に記載のシャワヘッド。
【発明の詳細な説明】
【０００１】
【発明の属する技術分野】
この発明は、シャワヘッドに関する。
【０００２】
【従来の技術】
【特許文献１】実用新案登録第２１３６０００号公報
本出願人は、図１２に示すように、例えば洗髪用に用いられるシャワヘッド１０として、カバー体１と、このカバー体１内に装着される吐水口本体２と、この吐水口本体２に接続される筒状のキャップ３と、湯水混合水栓４の水栓本体５の筒状ホルダ６にリング体７を介してねじＭにより接続されている筒状のシャワ受け８と、使用時には前記シャワ受け８から引き出される可撓管９とを備え、前記キャップ３はセレーションによる結合によってシャワ受け８に着脱自在に装着され、前記可撓管９によって形成される水栓本体５からの供給流路ｉを有するとともに、この供給流路ｉに連通する通水流路ｊが吐水口本体２内に形成されてなるものを提案している（特願２００２−２３５７５７号明細書・図面参照）。
【０００３】
【発明が解決しようとする課題】
しかし、可撓管９を引き出さない場合、キャップ３は、シャワ受け８に嵌込まれて回らずシャワヘッド１０は固定されたままであり、使い勝手が悪かった。
【０００４】
また、図示はしないが、水栓本体の筒状ホルダから引き出される可撓管を有して流し用に用いられるシャワヘッドにおいても同様の問題がある。
【０００５】
また、本出願人は、図１３に示すように、例えば浴室の壁面に保持させたり、手で握り持ったりして使用される使い勝手のよいシャワヘッド１１（前記特許文献１参照）として、把持部１４に対してシャワ口部１３を筒軸芯Ｐ２  まわりで回動自在に構成し、シャワ口部１３の吐水方向を筒軸芯Ｐ２  まわりで任意に角度変更させることができるものを開発している。しかし、このシャワヘッド１１は、シャワーホース１９の下流端に接続され壁面のシャワヘッドホルダー２０に保持されるシャワ受けとしてのシャワホース接続筒部１５に対してシャワ口部１３と把持部１４を一体的にシャワホース接続筒部１５の筒軸芯Ｐまわりで回動自在に構成させる構成は持っていなかった。
【０００６】
この発明はこのような実情を考慮に入れてなされたものであって、シャワ受けの軸芯まわりに回動可能な使い勝手のよいシャワヘッドを提供することを目的としている。
【０００７】
【課題を解決するための手段】
すなわち、この発明のシャワヘッドは、上方開口および下方開口を有するカバー体と、このカバー体内に装着され、水栓本体からの供給流路に連通する入口部および下向きの吐水口部を有し、前記入口部および吐水口部間に通水流路が形成されている吐水口本体とを備え、前記上方開口から挿入されて前記入口部に接続される筒状のキャップと、このキャップに嵌込まれる筒状のアダプタと、上流側が水栓本体に取り付けられたホルダに接続され、下流側が前記キャップ内に嵌込まれた前記アダプタ内に嵌込まれる筒状のシャワ受けとを有し、更に、前記キャップが前記カバー体およびアダプタと共に、前記シャワ受けに対して前記シャワ受けの軸芯まわりに回動するよう、前記シャワ受けの前記下流側の外周面とこれに当接する前記アダプタの内周面にクリック機構が設けられている。
【０００８】
また、この発明は別の観点から、シャワ口部と把持部を有するとともに、この把持部の上流端に接続される筒状のキャップと、このキャップに嵌込まれる筒状のアダプタと、上流側がシャワホースの下流端に接続され、下流側が前記キャップ内に嵌込まれた前記アダプタ内に嵌込まれる筒状のシャワ受けとを有し、更に、前記キャップが前記アダプタ、把持部およびシャワ口部と共に、前記シャワ受けに対して前記シャワ受けの軸芯まわりに回動するよう、前記シャワ受けの前記下流側の外周面とこれに当接する前記アダプタの内周面にクリック機構が設けられていることを特徴とするシャワヘッドを提供する。
【０００９】
【発明の実施の形態】
図１〜図１０は、流し台に設置されるスプレー式の湯水混合水栓に用いられるこの発明の一実施形態を示す。
【００１０】
まず、図１において、２１は、スプレー式の湯水混合水栓で、流し台のシンクの水栓取付面部２２に形成してある一つの貫通穴２２ａの直下と貫通穴２２ａに挿入された取付金具Ａ，Ｂ，Ｃを介して前記取付面部２２上に設置されている。
【００１１】
前記水栓２１は、給湯管および給水管からそれぞれ流入する湯および水を適宜混合して湯水混合水をフレキシブルホースである供給管２３に供給する湯水混合水栓本体２４と、この水栓本体２４から供給される湯水混合水や水を直放水の状態あるいは散水の状態に切替えて吐水する本発明の樹脂製のシャワヘッド２５と、このシャワヘッド２５と供給管２３とを接続し、使用時には前記水栓本体２４の筒状ホルダ２６から引き出される可撓管２７とを有している。この可撓管２７は、螺旋形状を持つステンレス鋼帯２７ａの内面に樹脂製部材２７ｂを固着してなるラセンホースで、前記水栓本体２４からの供給流路ｉを形成する。
なお、この実施形態では、流し台に設置されるシャワヘッド２５であるので、図１２に示した洗髪用に用いられるシャワヘッド１０の筒状ホルダ６とは先端部の開口の向きが異なる筒状ホルダ２６が用いられている。すなわち、シャワヘッド２５の取り付け部分である筒状ホルダ２６の先端部の開口は、筒状ホルダ６の先端部の開口のように水平よりやや上に向いているのではなく、水平よりやや下に向いている。
【００１２】
２９は、前記水栓本体２４の胴２４ａの内部に設けた弁機構で、セラミック製の固定ディスク２９ａとこの固定ディスク２９ａの上面に摺動可能に載置されるセラミック製の可動ディスク２９ｂを備えている。３０は、可動ディスク２９ｂに連動連結された操作部材で、この操作部材３０の操作によって、止水状態と吐水状態の切替操作と湯水混合水の温度調整ならびに湯水混合水や水の流量調整が行われる。前記胴２４ａは、金属製で、楕円体の長軸方向に於ける両端を切り取ってなる外観形状を有し、横置き状態に配置されている。また、前記ホルダ２６は金属製で、胴２４ａに形成された開口２４ｂに、リング状の取付部材２４ｃを介して係止ピン２６ａ等の係止手段によってシール可能に取付けられている。３１は、可撓管２７が挿通可能な挿通孔を有する重りである。
【００１３】
図１〜図１０において、前記シャワヘッド２５は、上方開口３２および下方開口３３を有する樹脂製のカバー体３４と、水栓本体２４からの供給流路ｉに連通する入口部３５およびこの入口部３５の下流側に連設される下向きの吐水口部３６を有する樹脂製の吐水口本体３７と、散水と直放水の二つの吐水状態に切替えるために設けられた樹脂製の複数の部材からなる切替手段とを有する。この実施形態では、吐水口本体３７は、下方開口３３を介してカバー体３４内に着脱自在に装着され、入口部３５および吐水口部３６間に通水流路ｊを形成する。また、前記入口部３５は、内周面に雌ねじ３５ｂを有する。
【００１４】
更に、カバー体３４は縦断面略釣鐘状で、メッキ液に浸漬することで外面および内面を含む全面にメッキ処理が施されている。
【００１５】
カバー体３４は、円周上に配列された四つの係合突起３８を下部内面に有する一方、吐水口本体３７は、各係合突起３８に係合する係合溝３９を吐水口部３６の外周面に有する。
【００１６】
また、前記切替手段は、回動操作により散水と直放水の二つの吐水状態に切替える樹脂製の切替ハンドル２６と、通水流路ｊに連通する二つの連通孔５２を有し、Ｏリング５４を介して吐水口本体３７の吐水口部３６の最上流側に固定設置された平面視円形の樹脂製の弁座部材５３と、前記二つの連通孔５２に整合可能な直放水用の孔５７を中央部に有し、この中央部のまわりに散水用の多数のシャワ孔６１を有し、切替ハンドル５６の回動操作に連動して回動する樹脂製の弁体６０と、弁体６０の前記孔５７の直下流に設けられ、メッシュの周囲を樹脂材で縁取りした複数枚の整流板６３とで構成される。
【００１７】
更に、前記弁体６０の上流側の面には、二つの直放水用の孔５７を形成するための突出部分６０ａが弁座部材５３の下流面５３ａに摺動する形で一体に形成されているとともに、この突出部分６０ａの周囲を覆うシール用のパッキン６４を有する。そして、切替ハンドル５６によって弁体６０を図１０に示すように回動操作して前記孔５７を連通孔５２に整合させることにより直放水の状態となる一方、図９に示すように、弁体６０を回動操作すると、弁座部材５３の下流面５３ａによって前記孔３７がシール可能に閉塞されるとともに、連通孔５２がシャワ孔６１に連通して散水の状態にできる。
【００１８】
以上説明したカバー体３４、吐水口本体３７および前記切替手段の構成は図１２に示したものと何ら変わりはない。
【００１９】
以下、この発明の特徴的構成について説明する。
【００２０】
７０は、筒状のキャップで、下流側に前記入口部３５に形成された雌ねじ３５ｂに螺合する雄ねじ４１を有し、前記上方開口３２から挿入されて前記入口部３５に接続される。
【００２１】
７１は、前記キャップ７０に嵌込まれる筒状のアダプタである。
【００２２】
７２は、筒状のシャワ受けで、上流側が前記ホルダ２６にねじ１００によって接続され、下流側が前記キャップ７０内に嵌込まれた前記アダプタ７１内に嵌込まれる。シャワ受け７２は、メッキ液に浸漬することで外面および内面を含む全面にメッキ処理が施されている。シャワ受け７２は、上流側にねじ孔１０１が設けられ、ホルダ２６に設けたねじ挿通孔１０３を介してねじ孔１０１にねじ１００が接続される。
【００２３】
また、前記キャップ７０が前記カバー体３４およびアダプタ７１と共に、前記シャワ受け７２に対して前記シャワ受け７２の軸芯Ｐ２  まわりに回動するよう、前記シャワ受け７２の下流側の外周面Ｅとこれに当接する前記アダプタ７１の内周面Ｆにクリック機構が設けられている。
【００２４】
更に、前記アダプタ７１は、外周面Ｇの最下流端部に外れ防止用の外爪８０を有する一方、前記キャップ７０は、前記アダプタ７１を前記キャップ７０内に嵌込んだときに前記外れ防止用の外爪８０が係合して前記キャップ７０から前記アダプタ７１が外れるのを防止しうる係止孔８１を下流側に有する。
【００２５】
また、前記アダプタ７１は、前記内周面Ｆの最上流端部に内爪８２を有する一方、前記シャワ受け７２は、シャワ受け７２の下流側が前記アダプタ７１内に内爪８２の側から嵌込まれたときに前記内爪８２が係合し、それによって、前記キャップ７０が前記アダプタ７１と共に前記シャワ受け７２から外れるのを防止しうる外れ防止用の環状溝８４をシャワ受け７２の下流側における外周面Ｅの最上流端部に有する。
【００２６】
なお、外れ防止用の環状溝８４と内爪８２を設けたのは、筒状ホルダ２６の先端部の開口が水平よりやや下に向いており、内爪８２を外れ防止用の環状溝８４に係合させないとキャップ７０およびアダプタ７１がシャワ受け７２から抜け落ちるおそれがあるからである。
【００２７】
そして、前記クリック機構は、シャワ受け７２の下流側の前記外周面Ｅに形成された、軸芯Ｐ２  の方向に沿って形成されるセレーション８５と、このセレーション８５の溝に係合するようアダプタ７１の前記内周面Ｆに形成された複数の係合突起８６よりなり、前記キャップ８１の回動動作、ひいては、カバー体３４の回動動作が段階的に調整される。８８は、前記内周面Ｅに形成されたコ字型の切欠きである。そして、アダプタ７１は、切欠き８８によって前記内周面Ｅに形成された舌片８９の内面に前記係合突起８６を有する。前記切欠き８８は、軸芯Ｐ２  の方向に沿う一つの切欠き部分と、軸芯Ｐ２  の方向に直交する方向に沿う二つの切欠き部分よりなる。
【００２８】
一方、前記内爪８２は、軸芯Ｐ２  の方向に沿う二つの切欠き９０によって形成された舌片９１の内面に設けられている。
【００２９】
また、前記クリック機構を、前記外周面Ｅに形成された複数の凹部と、この凹部に係合するよう前記内周面Ｆに形成された複数の係合突起８２とより構成してもよい。
【００３０】
また、シャワ受け７２は、ほぼ中央に大径部９０を有し、一方、ホルダ２６は、大径部９０に対応する位置に大径部９０の外周の一部が目視可能な切欠き９１を有するとともに、切替ハンドル５６の外周面とシャワ受け７２の外周面が黄色に着色され、可撓管２７をホルダ２６から引き出したときに見栄えがするよう構成されている。
【００３１】
而して、前記シャワ受け７２の下流側の外周面Ｅとこれに当接する前記アダプタ７１の内周面Ｆにクリック機構を設け、前記キャップ７０が前記カバー体３４およびアダプタ７１と共に、前記シャワ受け７２に対して前記シャワ受け７２の軸芯Ｐ２  まわりに回動するよう構成したので、可撓管２７を引き出さない場合、カバー体３４をシャワ受け７２の軸芯Ｐ２  まわりに回動でき、吐水口部３６を回動させて吐水方向を左右横向きや上向きに変更させる形態などをとることができる。このように、ホルダ２６に固定設置されたシャワ受け７２対して吐水口部３６の吐水方向を任意に設定することができることからシャワヘッド２５の使い勝手が向上する。
【００３２】
なお、この発明には、図１１に示すように、例えば浴室１６の壁面Ｗに保持させたり、手で握り持ったりして使用されるシャワヘッド１１’も含まれる。
【００３３】
すなわち、図１１において、シャワヘッド１１’は、シャワ口部３６’と把持部３５’を有するとともに、この把持部３５’の上流端に接続される筒状のキャップ７０’と、このキャップ７０’に嵌込まれる筒状のアダプタ７１’と、上流側がシャワホース１９の下流端に接続され、下流側が前記キャップ７０’内に嵌込まれた前記アダプタ７１’内に嵌込まれる筒状のシャワ受け７２’とを有し、更に、シャワヘッド１１’には、前記キャップ７０’がアダプタ７１’、把持部３５’およびシャワ口部３６’と共に、前記シャワ受け７２’に対して前記シャワ受け７２’の軸芯Ｐ’まわりに回動するよう、前記シャワ受け７２’の下流側の外周面とこれに当接する前記アダプタ７１の内周面に、上記実施形態で示したセレーション８５、係合突起と同様のクリック機構が設けられている。
【００３４】
この発明のシャワ受け７２’は、浴室１６の壁面Ｗのシャワヘッドホルダ２０に保持されるシャワホース接続筒部（図１３参照）に相当し、この発明では、上述したように、前記シャワ受け７２’に対して、キャップ７０’、アダプタ７１’と共にシャワ口部３６’と把持部３５’を一体的に前記シャワ受け７２’の軸芯Ｐ’まわりで回動自在に構成でき、シャワヘッド１１’の使い勝手を向上させることができる。
【００３５】
【発明の効果】
以上詳述したようにこの発明では、シャワ受けの軸芯まわりに回動可能な使い勝手のよいシャワヘッドを提供できる効果がある。
【図面の簡単な説明】
【図１】この発明の一実施形態における使用状態を示す構成説明図である。
【図２】上記実施形態における要部分解斜視図である。
【図３】上記実施形態における要部構成説明図である。
【図４】上記実施形態におけるカバー体および吐水口本体の関係を分解して示す構成説明図である。
【図５】（Ａ）は、上記実施形態で用いたカバー体を示す縦断面図である。
（Ｂ）は、上記実施形態で用いたカバー体を示す底面図である。
（Ｃ）は、上記実施形態で用いたカバー体を示す正面図である。
【図６】（Ａ）は、上記実施形態で用いた吐水口本体ケースを示す平面図である。
（Ｂ）は、上記実施形態で用いた吐水口本体ケースを示す縦断面図である。
（Ｃ）は、上記実施形態で用いた吐水口本体ケースを示す底面図である。
（Ｄ）は、上記実施形態で用いた吐水口本体ケースを示す正面図である。
【図７】（Ａ）は、上記実施形態で用いた弁体を示す平面図である。
（Ｂ）は、上記実施形態で用いた弁体を示す底面図である。
【図８】（Ａ）は、上記実施形態で用いた弁座部材を示す平面図である。
（Ｂ）は、上記実施形態で用いた弁座部材を示す底面図である。
【図９】上記実施形態における散水の吐水状態を説明するための図である。
【図１０】上記実施形態における直放水の吐水状態を説明するための図である。
【図１１】この発明の他の実施形態における使用状態を示す斜視図である。
【図１２】従来例を示す構成説明図である。
【図１３】別の従来例を示す構成説明図である。
【符号の説明】
２４…水栓本体、３４…カバー体、３２…上方開口、３３…下方開口、３５…入口部、３６…吐水口部、３７…吐水口本体、７０…キャップ、７１…アダプタ、７２…シャワ受け、８５…セレーション、８６…係合突起、Ｅ…外周面、Ｆ…内周面、ｉ…供給流路、ｊ…通水流路、Ｐ２  …軸芯。
【図１】
2004150130.tif 000003
【図２】
2004150130.tif 000004
【図３】
2004150130.tif 000005
【図４】
2004150130.tif 000006
【図５】
2004150130.tif 000007
【図６】
2004150130.tif 000008
【図７】
2004150130.tif 000009
【図８】
2004150130.tif 000010
【図９】
2004150130.tif 000011
【図１０】
2004150130.tif 000012
【図１１】
2004150130.tif 000013
【図１２】
2004150130.tif 000014
【図１３】
2004150130.tif 000015